(57)【特許請求の範囲】
【請求項１】
箱状のケース本体（１）の内部に、テープ（３）を巻装した１個のリール（２）が配置されており、テープ（３）の繰り出し端にピン状のテープ引出具（７）が連結してあり、
ケース本体（１）の周側壁に、テープ引出具（７）を引出し操作するテープ引出口（４）が開口している磁気テープカートリッジであって、
テープ引出口（４）に臨むケース本体（１）の上壁内面と底壁内面とに、テープ引出具（７）の上下両端に設けた係合軸部（１１）を受け止める軸受部（１５）がそれぞれ設けられており、
各係合軸部（１１）を軸受部（１５）と協同して位置決め保持するばね（１６）が、ケース本体（１）の上壁内面と底壁内面とにそれぞれ配設されており、
各ばね（１６）は、係合軸部（１１）に外接する保持ばね腕（２１）を含み、
保持ばね腕（２１）の一部を受け止めて、ばね（１６）がケース本体（１）から脱落するのを阻止する抜止壁（２９）が、ケース本体（１）のケース側壁（２４）の基端寄りに連続して成形されており、
抜止壁（２９）は、ケース本体（１）の上壁あるいは底壁と平行な方向の張り出し壁からなり、ケース本体（１）の上壁あるいは底壁との間に、保持ばね腕（２１）の進入を許す隙間が確保されている単リール型の磁気テープカートリッジ。
【請求項２】
不使用状態においてテープ引出口（４）を閉止する蓋（５）が、ケース本体（１）にスライド開閉自在に支持されており、
前記蓋（５）がばねで閉じ勝手に移動付勢されている請求項１記載の単リール型の磁気テープカートリッジ。
【請求項３】
テープ引出具（７）が、テープ（３）が巻き掛け連結される連結軸部（８）と、連結軸部（８）の上下に設けられた操作軸部（１０）と、操作軸部（１０）より大径の係合軸部（１１）とを備えており、
係合軸部（１１）を受け入れる軸受部（１５）が、ケース本体（１）の上壁および底壁にそれぞれ凹み形成されている請求項１又は２記載の単リール型の磁気テープカートリッジ。
【請求項４】
各ばね（１６）は、コイル部（２０）の一端から保持ばね腕（２１）を連出した捻じりコイル型のばねからなり、
ケース本体（１）の上壁内面と底壁内面に設けた各ばね受突起（２６）に、ばね（１６）のコイル部（２０）がそれぞれ外嵌されており、
抜止壁（２９）で保持ばね腕（２１）の一部を受け止めて、コイル部（２０）がばね受突起（２６）から抜け外れるのを阻止する請求項１記載の単リール型の磁気テープカートリッジ。
【発明の詳細な説明】
【０００１】
【発明の属する技術分野】
本発明は、コンピュータ用データレコーダの磁気記録媒体に代表される、単リール型の磁気テープカートリッジに関する。
【０００２】
【従来の技術】
この種の磁気テープカートリッジにおいては、磁気テープの繰り出し端にテープ引出具を連結しておき、このテープ引出具をテープドライブ側の捕捉具で捕捉して、磁気テープをケース本体から引出し操作する。テープ引出具には、自己保形性を持つプラスチックシートで形成したもの（特開平８−６３９４０号公報）や、プラスチックブロックで形成したもの（特開昭６２−６６４８６号公報）などがある。
【０００３】
【発明が解決しようとする課題】
プラスチックシートで形成したテープ引出具は、磁気テープの全量をケース本体内へ巻き戻した状態において、シート遊端が片持ち状態でテープ引出口に露出しているうえ、テープ引出具これ自体がシート厚み方向へ弾性変形可能である。そのため、テープ引出具を正確に位置決め保持するのが難しい。このことは、使用状態において捕捉具によるテープ引出具の捕捉に失敗する可能性のあることを意味している。
【０００４】
プラスチックブロックで形成したテープ引出具は、それ自体が変形することはなく、ケース本体で待機時の姿勢保持を行うので、プラスチックシート形に比べて位置保持精度は高い。しかし、テープ引出具は待機状態において僅かに遊動できるうえ、テープ引出具がケース周側面に常時露出していて、例えば落下衝撃を受けるような場合に、テープ引出具の遊端がケース外へ突出する余地があるため、十分な信頼性を得難い。テープ引出具を操作するためにローディング用のポケットが開口しているため、そこから塵埃等がケース内へ侵入しやすいところにも問題がある。
【０００５】
本発明者等は、このようなテープ引出具に関する問題点を解消するために、テープ引出具をピンで形成し、これをケース本体の周側壁に設けたテープ引出口の内部に待機保持する形態を開発しつつある。
【０００６】
本発明の目的は、ピン状のテープ引出具を備えた磁気テープカートリッジにおいて、待機状態のテープ引出具を常に正確に位置保持し、以て使用時におけるテープ引出具の捕捉連結を失敗なく確実に行うことにある。
本発明の他の目的は、ピン状のテープ引出具をケース本体とこれに組み込んだばねとで待機保持して、長期使用時にも待機状態のテープ引出具を正確に位置決め固定することにある。
本発明の更に他の目的は、ピン状のテープ引出具を待機保持するばねを、ケース本体と一体に形成した抜止壁で保持固定して、その分だけ磁気テープカートリッジの構成部品点数を減らすことにある。
【０００７】
【課題を解決するための手段】
本発明の磁気テープカートリッジは、図２に示すごとく箱状のケース本体１の内部に、テープ３を巻装した１個のリール２が配置してあって、テープ３の繰り出し端にピン状のテープ引出具７が連結してある。ケース本体１の周側壁には、テープ引出具７を引出し操作するテープ引出口４が開口している。テープ引出口４に臨むケース本体１の上壁内面と底壁内面とには、図１および図３に示すごとくテープ引出具７の上下両端に設けた係合軸部１１を受け止める軸受部１５をそれぞれ設ける。各係合軸部１１に外接して、係合軸部１１を軸受部１５と協同して位置決め保持するばね１６を有し、このばね１６がケース本体１の内部に配設されている。
【０００８】
具体的には、ケース本体１の上壁内面と底壁内面に設けたばね受突起２６に、図１に示すごとく係合軸部１１に外接する保持ばね腕２１を含む、捻じりコイル形のばね１６のコイル部２０をそれぞれ外嵌する。各保持ばね腕２１の一部を受け止める抜止壁２９をケース本体１と一体に成形し、この抜止壁２９でコイル部２０がばね受突起２６から抜け外れるのを阻止する。
【０００９】
不使用状態において、テープ引出口４を閉止する蓋５を設け、この蓋５をケース本体１でスライド開閉自在に支持し、ばねで閉じ勝手に移動付勢する。
【００１０】
テープ引出具７は、図４に示すごとくテープ３が巻き掛け連結される連結軸部８と、連結軸部８の上下に設けられた操作軸部１０と、操作軸部１０より大径の係合軸部１１とを備えている。係合軸部１１を受け入れる軸受部１５は、図５に示すごとくケース本体１の上壁および底壁にそれぞれ凹み形成されている。
【００１１】
【作用】
テープ引出具７の上下両端の係合軸部１１は、テープ引出口４の内部の軸受部１５でそれぞれ受け止め支持し、更にばね１６で係合軸部１１を押さえて、不使用時のテープ引出具７を軸受部１５とばね１６との協同作用によって確実に位置決め保持するので、従来のテープ引出具に比べて、テープ引出具７の位置保持精度が向上する。落下衝撃を受けてテープ引出具７が動いたとしても、ばね１６の押圧力でテープ引出具７を適正位置に復帰保持できる。テープ引出具７を、独立部品として形成したばね１６で常に押さえ保持するので、長期使用時にも位置保持精度を維持し続けることができる。
【００１２】
テープ引出具７の各係合軸部１１に対応して、ケース本体１の上壁内面と底壁内面とに、一対の捻じりコイル形のばね１６をそれぞれ配置してあるので、ケース本体１を構成する上ケース１ａと下ケース１ｂとに対して、各ばね１６を両ケース１ａ・１ｂの組み立て前に容易に組み付けることができる。反面、落下衝撃を受けるような場合に、片方のばね１６がばね受突起２６から脱落するおそれがあるが、これを防ぐために、保持ばね腕２１の一部を抜止壁２９で受け止める。上下のばね１６に対応する抜止壁２９は、ケース本体１と一体に成形することにより、部品点数が増えるのを防止する。
【００１３】
テープ引出口４をスライド開閉自在な蓋５で閉止すると、不使用時のテープ引出具７がテープ引出口４を介してケース外面に露出するのを阻止し、塵埃等がテープ引出口４から侵入することもない。軸受部１５をケース本体１の上壁および底壁に凹み形成すると、保持ばね腕２１が軸受部１５に対して接当干渉する余地がないので、ばね１６の設計の自由度が増す。
【００１４】
【実施例】
図１ないし図６は本発明に係る単リール型の磁気テープカートリッジの実施例を示す。図２において磁気テープカートリッジは、上下ケース１ａ・１ｂを蓋合わせ状に接合してなる角箱状のケース本体１を有し、ケース本体１の内部に配置した１個のリール２にテープ３を巻装している。ケース本体１の前側壁の一側端には、テープ引出口４が開口しており、これがスライド自在な蓋５で開閉できる。蓋５はばねで閉じ勝手に移動付勢されている。
【００１５】
リール２に巻装したテープ３をケース外へ引き出し操作するために、テープ３の繰り出し端にテープ引出具７を連結する。図３においてテープ引出具７は、金属ピン状の旋削加工品からなり、その上下高さの大半を小径の連結軸部８が占め、連結軸部８の上下のそれぞれにフランジ状の薄い区分壁９を張り出し形成して、区分壁９の上下に操作軸部１０と係合軸部１１とを一体に形成する。操作軸部１０は連結軸部８と同径にし、係合軸部１１は区分壁９の直径寸法と一致させる。連結軸部８にテープ３の端部を輪奈状に巻き付け、輪奈部の外面に断面Ｃ字形の緩衝体１２を外嵌し、更に緩衝体１２に金属薄板で形成した断面Ｃ字形のクランプ１３を外嵌することにより、図１に示すごとくテープ引出具７をテープ３に連結している。緩衝体１２は、クランプ１３の周方向端縁にテープ３が接当して千切れるのを防ぐために介装する。
【００１６】
不使用時のテープ引出具７をテープ引出口４のケース内方において直立姿勢で位置決め保持するために、上ケース１ａの上壁内面と下ケース１ｂの底壁内面とには、各係合軸部１１を保持固定する軸受部１５とばね１６とをそれぞれ設ける。図５において下ケース１ｂ側の軸受部１５は、底壁内面に形成した釣鐘形の凹みからなり、その前縁とテープ引出口４の開口縁との間に、下り傾斜状の縦案内面１７を設ける。軸受部１５は、係合軸部１１の周面を受け止める部分円弧状の受壁１５ａを有し、受壁１５ａに連続する凹部側壁を前拡がりテーパー状に形成して横案内面１８としている。上ケース１ａ側には、図３に示すごとく下ケース１ｂ側の軸受部１５および縦案内面１７と同等の軸受部１５および縦案内面１７が、上下対称に設けられている。上下の軸受部１５の対向間隔は、テープ引出具７の上下長より僅かに大きい。
【００１７】
図１において各ばね１６は、コイル部２０の一端から係合軸部１１に外接する長い保持ばね腕２１を連出し、コイル部２０の他端に短い掛止腕２２を連出した、捻じりコイル型の金属線ばねからなる。保持ばね腕２１の遊端側には、係合軸部１１の周面に密着する部分円弧状の押圧部２３と、ケース側壁２４側へ傾くガイド部２５を連続して折り曲げ形成してある。
【００１８】
ばね１６を組むために、図１および図５に示すごとく軸受部１５よりケース内方の底壁内面（および上壁内面）には、コイル部２０が外嵌するピン状のばね受突起２６と、掛止腕２２をケース側壁２４と協同して受け止めるリブ２７とをそれぞれ突設する。更に、ばね受突起２６に外嵌したばね１６の抜け出しを防ぐために、軸受部１５のケース側壁２４側の凹み周縁の上方に、保持ばね腕２１の遊端寄りを受け止める抜止壁２９を設ける。抜止部２９はケース側壁４の基端寄りに連続する横向きの張り出し壁からなり、底壁あるいは上壁との間に、保持ばね腕２１の進入を許す隙間が確保してある。なお、テープ引出具７がケース外へ引き出されて、保持ばね腕２１が自由状態になった場合にも、ばね腕２１はそのガイド部２５がテープ引出具７の進入経路上に位置している（図６参照）。
【００１９】
使用時には、磁気テープカートリッジをケース側壁２４の側を始端にしてテープドライブに装填することにより、蓋５が開き操作されてテープ引出口４を開放する。同時にリール２の遊転を阻止していたリールロックが解除される。この状態でテープドライブ側の捕捉具がテープ引出口４からケース内へ進入し、テープ引出具７の上下の操作軸部１０を捕捉係合して、テープ引出具７を介してテープ３を引き出し、テープドライブ側の巻き取りリールにテープ引出具７を引き渡す。テープ３に対するデータの記録あるいは読み込みが終了したら、テープ３はリール２に巻き戻される。テープ引出具７は捕捉具に再び係合捕捉されて、ケース本体１内へ元の状態にして収容される。
【００２０】
捕捉具に支持されたテープ引出具７は、テープ引出口４内へ復帰収容される間に、テープ引出具７の上下端が上下の縦案内面１７で案内されて上下位置のずれが修正される。軸受部１５の前縁を乗り越えた時点で、図６に示すように係合軸部１１の周面がばね１６のガイド部２５に接当する。そのため、保持ばね腕２１は弾性力に抗してケース側壁２４側へ押し退けられ、係合軸部１１はガイド部２５を乗り越えて、受壁１５ａで受け止められる。同時に、押圧部２３が係合軸部１１に弾性接当して、テープ引出具７の全体を受壁１５ａに押し付けて、軸受部１５とばね１６とでテープ引出具７を保持固定する。なお、テープ引出具７が横方向へずれた状態で軸受部１５内へ進入する場合には、横案内面１８で位置ずれを修正して、係合軸部１１を受壁１５ａへ導く。
【００２１】
上記の実施例以外にテープ引出具７は、プラスチック成形品で形成してもよい。テープ引出具７に対するテープ３の連結構造は、実施例に限定されず、例えば連結軸部８を区分壁９と同径の筒状に形成して、その周面にクランプ溝を設け、このクランプ溝にテープ端とクランプを圧嵌係合してもよい。係合軸部１１は丸軸である必要はなく、多角形断面状に形成してもよい。同様に、軸受部１５の凹み形状は、三角形や台形等に変更でき、上壁や底壁に突起を設けて軸受部１５とすることができる。ばね１６は板ばねで形成することができる。必要があれば、上下の掛止腕２２を縦腕で一体に接続して、ばね１６を１個にすることができる。この場合には、上ケース１ａ側の抜止壁２９を省略できる。抜止壁２９の保持ばね腕２１と接当する側の壁面に、保持ばね腕２１の拡開方向の揺動限界を規制する突起を設けて、保持ばね腕２１の位置規制を行うことができる。テープ引出口４の開口位置はケースの四隅の近傍であれば、どの隅部であってもよい。
【００２２】
【発明の効果】
本発明では、テープ引出口４の内方上下に軸受部１５を設け、これら軸受部１５でテープ引出具７の上下端の係合軸部１１を受け止めるようにした。更に、軸受部１５の近傍にばね１６を設け、その保持ばね腕２１で係合軸部１１を押さえることにより、軸受部１５とばね１６とが協同してテープ引出具７を常に適正に位置決め保持できるようにした。従って、テープドライブの捕捉具によるテープ引出具７の捕捉連結を確実に行え、従来例に比べて使用時の信頼性を向上できる。ばね１６でテープ引出具７を押圧保持するので、長期使用時にも待機状態のテープ引出具７を正確に位置決め保持できるうえ、他物との衝突や落下衝撃等によるテープ引出具７の位置ずれもよく解消できる。
【００２３】
上下一対のばね１６で上下の係合軸部１１をそれぞれ個別に押さえ保持する形態によれば、各ばね１６の上下ケース１ａ・１ｂに対する組み付けを容易化できるうえ、上下ケース１ａ・１ｂの組み立ても容易になる。各ばね１６の脱落を防ぐ抜止壁２９がケース本体１と一体に成形されていれば、磁気テープカートリッジの構成部品点数の増加を防いで、その分だけ製造コストを削減できる。
【図面の簡単な説明】
【図１】図３におけるＡ−Ａ線断面図である。
【図２】磁気テープカートリッジの横断平面図である。
【図３】テープ引出口の正面図である。
【図４】テープ引出具の斜視図である。
【図５】軸受部の斜視図である。
【図６】テープ引出具の収容状態を示す図１と同等の断面図である。
【符号の説明】
１  ケース本体
２  リール
３  テープ
４  テープ引出口
５  蓋
７  テープ引出具
１１  係合軸部
１５  軸受部
２０  コイル部
２１  保持ばね腕
２９  抜止壁
【図１】
0003979477.tif 000002
【図２】
0003979477.tif 000003
【図３】
0003979477.tif 000004
【図４】
0003979477.tif 000005
【図５】
0003979477.tif 000006
【図６】
0003979477.tif 000007